(57)【要約】    【課題】  折り畳み及び展開操作が極めて簡単であるとともに折り畳み状態における容積を小さくした折り畳み式デスクを安価に提供する。    【解決手段】  本考案は、天板１と、この天板に前後方向に揺動可能に取り付けてある幕板２と、この幕板の両側部に水平方向に揺動可能に取り付けてある１対の脚パネル３，４と１対の固定ねじ６とを主要素とする。天板と幕板とは幕板の上端両側部に設けてある連結片により揺動可能としてある。脚パネルへの天板の固定は固定ねじ６で行い、折り畳み時にもこれらの固定ねじを転用して固定することにより安定した状態にすることが可能である。折り畳み要領はデスクＤ１を、天地を逆にして固定ねじを抜き取り、両脚パネル３，４を水平方向に折り曲げて幕板の背面に当接させ、さらに両脚パネルと幕板とを揺動させて脚パネルの外面を天板の裏面に当接させ、２本の固定ねじで両脚パネルを天板に固定するだけでよい。    【選択図】  図１
0003133866.tif 000002
【実用新案登録請求の範囲】
【請求項１】
天板と、上記天板の裏面前方寄りの位置に揺動可能に設けてある幕板と、上記幕板の両側部にこれの側部と平行するように設けてある蝶番の枢軸を中心として揺動可能に取り付けてある１対の脚パネルと、上記天板と上記各脚パネルとを展開状態に又は折り畳み状態に固定する１対の固定ねじとからなり、
上記幕板は当該幕板の上端部に設けてある複数の連結片を上記天板の裏面に設けてある支持軸を中心として揺動可能に取り付けてある
ことを特徴とする折り畳み式デスク。
【請求項２】
請求項１において、上記幕板は上記複数の連結片の各先端部近傍に固着してあり、上記各連結片を上記天板に対して垂直状態にしたときに、上記１対の脚パネルの一側部が当該幕板の内側面に当接可能であるとともに、
上記各連結片は、上記幕板の内側面と上記天板の裏面との間隔を、上記１対の脚パネルを収容可能な間隔になるように構成してある
ことを特徴とする折り畳み式デスク。
【請求項３】
請求項１又は請求項２において、上記脚パネルの上記天板を支持する梁部及び上記脚パネルの下端部に位置する土台部はいずれも伸縮可能としてあることを特徴とする折り畳み式デスク。
【考案の詳細な説明】
【技術分野】
【０００１】
本考案は、レンタルデスクとして好適な折り畳み式デスクに関するものである。
【背景技術】
【０００２】
保管や運搬を容易にするためにテーブルや椅子を折り畳み式にすることは広く行われているが、テーブルや食卓などを折り畳み式にしたものの多くは、脚部を内側に倒すことができるようにしたものである。最近はオフィスや臨時会議などのために用いるレンタルデスクとして、膝などが前方から見えないように幕板（背面パネル）を備えたものが求められるようになった。このようなデスクは、構成が複雑化したことから折り畳んだ時の容積が大きくなり、又は分解・組立が煩雑化してきたために保管や運搬に不便になる傾向にある。
【０００３】
上記のような構成の複雑化及び操作の煩雑化に対処するものとして、第１例としての特許文献１には、机の構成部材を完全に分離することなく簡易に折り畳みかつ組み立てることができ、さらに折り畳んだとき、扁平な嵩の低いブロック形状にできる折り畳み式机が記載してある。この机は天板の裏面奥部に脚パネルの厚みに対応する幅を有するパネル桟を固定し、このパネル桟に対して背面パネルを鉛直方向に揺動可能に取り付けるようにしたものである。この背面パネルの両側部に脚パネルを水平方向に揺動可能に取り付けることにより、折り畳み状態で両脚パネルが天板の裏面に当接状態に収納可能であり、両脚パネルの表面に背面パネルを重ねた状態とすることにより、三段重ねでコンパクトな状態で収納可能なものを実現している。
【０００４】
また、第２例としての特許文献２には、上記第１例で採用していたパネル桟を使わないことにより重量の軽減を図るとともに、折り畳みの際に左右の脚パネルを摺動させる操作を要しない簡易折り畳み式机が記載してある。これは天板と背面パネルとの連結にクランク形状の蝶番を採用することにより折り畳み可能とし、材料コスト及び製造工数の削減を図ったものである。
【０００５】
【特許文献１】特開平１１―３２８３９号公報
【特許文献２】特開２００２―３０６２４８号公報
【考案の開示】
【考案が解決しようとする課題】
【０００６】
上記第１例の机は、第２例に記載してあるような難点の他、折り畳み状態における天板と脚パネルとの固定手段が無いために運搬中に揺動する恐れがあるなどの不安が残る。また、第２例では、構成が複雑なクランク形状の蝶番のほか間隙部材や固定部材などを採用しているため、部品点数が多くなり、部品コスト及び組立コストの上昇が問題となる。さらに、折り畳み状態における重ね段数が多くなり、収納や運搬に対するコンパクト化が不十分であるほか、この机においても折り畳み状態における固定手段を欠くため、運搬中の不安定性は改善されてない問題がある。
【課題を解決するための手段】
【０００７】
請求項１に記載した考案に係る折り畳み式デスクは、天板と、この天板の裏面前方寄りの位置に揺動可能に設けてある幕板と、この幕板の両側部にこれらの各側部と平行するように設けてある蝶番の枢軸を中心として揺動可能に取り付けてある１対の脚パネルと、上記の天板と上記の各脚パネルとを展開状態に又は折り畳み状態に固定する１対の固定ねじとからなる。そして上記の幕板はこの幕板の上端部に設けてある複数の連結片を天板の裏面に設けてある支持軸を中心として揺動可能に取り付けてある。ここで展開状態とはデスクを使用可能状態に脚パネルと幕板とを広げた状態を指し、折り畳み状態とは天板と両脚パネルと幕板とを層状に折り重ねた状態を指すものとする。
【０００８】
この折り畳み式デスクは、折り畳む際には天地を逆にした状態で、各脚パネルを幕板の両側部で内側に水平方向に揺動させることにより各側面を幕板に当接状態とし、これらの幕板と、この幕板と一体になっている両脚パネルとを天板の前部を中心にして揺動させることにより、天板の裏面に折り重なる状態になる。両脚パネルの収納スペースは連結片により確保されるため、上記の三者のみによって折り畳み状態と展開状態との変化を実現している。
【０００９】
このデスクは、折り畳み状態にした時には脚パネルを天板の裏面に１対の固定ねじで固定可能としてあるため、運搬や保管中に天板と脚パネルとが揺動する恐れが無くなる。これとともに、運搬の際に脚パネルを掴んで垂直に持ち上げても天板の重量を連結片にのみ負わせることなく、これらの２本の固定ねじで分担するため、連結片の保護の役割も果たしている。このデスクを展開状態にするときには、上記の各連結片は支持軸を中心に揺動して天板の裏面と平行になり、幕板及び両脚パネルが天板に対して垂直状態となる。さらに、両脚パネルを幕板に対して直角状態に広げれば、それらの上端部によって天板を支持可能としてある。これらの状態を保持する手段としては、展開時には各脚パネルの梁部と天板の裏面とを上記の固定ねじで締め付けるだけなので、展開操作が極めて簡単である。これにより部品点数を少なくすることができるとともに、複雑な部品を使用しなくて済むので製造コストの低減を実現可能としてある。
【００１０】
請求項２に記載した考案は、請求項１に記載した考案に係る折り畳み式デスクの折り畳機構を限定したものである。まず第１に、上記の幕板は上記の天板の裏面に設けてある取付部に挿通してある支持軸に揺動可能に取り付けてある複数の連結片の各先端部近傍に固着してある。第２に、これらの各連結片を天板に対して垂直状態にしたときに、１対の脚パネルの一側部が当該幕板の内側面に当接可能としてある。第３に、これらの各連結片は、幕板の内側面と天板の裏面との間隔を、１対の脚パネルを折り重ねた状態に収容可能な間隔になるように構成してあるところにこの考案の特徴がある。
【００１１】
上記の構成を採用することにより、天板、幕板及び１対の脚パネルは連結片及び蝶番を介して１対の脚パネルを挟んで折り重ねた状態に折り畳み可能となるため、簡単な構成と容易な操作により折り畳み状態における容積を最小とすることが可能となる。
【００１２】
請求項３に記載した考案は、上記の天板を支持する梁部及び上記の脚パネルの接地部となる土台部はいずれも伸縮可能としてあることを特徴とする。折り畳み式デスクの横幅寸法が脚パネルの高さに対して充分に長ければ折り畳み状態において脚パネルの先端部同士が干渉することはないが、この長さが小さいものにあっては、脚パネル同士が互いに干渉して折り畳み状態にすることができなくなることがある。このようなものに対しては上記のように、天板を支持する梁部及び脚パネルの接地部（床面に接する部分）となる土台部に床面と平行になる部分である土台部を伸縮可能としてあるところに特徴がある。これにより折り畳み時には梁部及び土台部を短くして先端部同士が干渉を起こすことなく天板と幕板との間に収納可能となる。また、展開時にはこれを長くすることにより天板を安定した状態で支持可能としてある。
【考案の効果】
【００１３】
本考案は、天板と幕板と１対の脚パネルを連結片と蝶番とによりそれぞれ揺動可能に組み立てたものからなるので、構成が極めて簡単になることから製造コストの低減が可能となる。また、簡単な構成により最小容積になるように折り畳み可能であり、しかも２本の固定ねじにより折り畳み状態に固定可能であることから運搬中に脚パネルが開いてしまうような不都合を防止可能である。さらに２本の固定ねじにより折り畳み状態で固定することにより、脚パネルを掴んで持ち上げる際に生じる連結片に生じる荷重負担を軽減可能となる。横幅寸法の小さいものについては、脚パネルの梁部及び土台部を伸縮可能としてあれば、展開時には脚パネルを引き延ばして安定性を付与し、折り畳みの際には脚パネルを縮めて折り畳み状態における脚パネル同士の干渉を防止可能となるので、本考案に係る折畳み式デスクの適用範囲の拡大が可能となる。
【考案を実施するための最良の形態】
【００１４】
次に考案を実施するための最良の形態として、「実施例１」では横幅寸法の大きい通常の形態の折り畳み式デスク（以下「デスク」と略称する）を挙げて説明し、「実施例２」では、横幅寸法を小さくするとともに同一高さであっても脚パネルの伸縮手段により折り畳み可能としたデスクについて説明する。
【実施例１】
【００１５】
図１は実施例１のデスクＤ１が展開状態になっている状態を斜め下方から見た斜視図であり、図２は同じものを投影図で示したものである。また、図３は同じデスクの折り畳み状態を斜視図で示したものである。図１及び図２に示してあるように、デスクＤ１は長方形状の天板１の裏面前部（図２（ａ）上部）に幕板２が設けてあり、幕板の両側に設けた脚パネル３，４により天板１を支持している。天板１の前部近傍には電源コード等を収納するコードホール１ｃ，１ｃが設けてあり、裏面には補強桟１ａ，…が設けてある。補強桟１ａの所定位置には折り畳み時における固定ねじが螺合するめねじ穴１ｈ、１ｈ（図５参照）が設けてある。幕板２と、左右の脚パネル３，４とは幕板の各側部に設けてある蝶番５，…の枢軸を中心として揺動可能としてあり、幕板２の上部は後述の連結片９を介して天板１の裏面に前後方向に揺動可能に取り付けてある。
【００１６】
脚パネル３，４は対称形としてあるので、以下の説明においては左右の一方のみについて説明し、他方については説明を省略することがある。脚パネル４は門形の立て看板を横にしたような形状をしており、厚板状の柱部４ａの上端部から後方に向けて梁部４ｂが延びている。また、柱部４ａの下端部からは床面に接する部分である土台部４ｃが同じく後方に向けて延びている。梁部４ｂ及び土台部４ｃはいずれも一辺にスリットが入ったパイプ状のものからなる部材を採用してあるので、端部は塞栓４ｄ、４ｄで塞いである。脚パネル４の柱部４ａにおける所定位置には、折り畳み時における固定ねじ用のめねじ穴４ｈが設けてある。脚パネル４の梁部４ｂの下辺には天板１と脚パネルとを固定するための固定ねじ６がねじ込んである。また、土台部４ｃの下辺には高さ調整ねじ（アジャスター）７，７がねじ込んである。梁部４ｂの固定ねじ挿着か所および土台部のアジャスター挿着か所には、それぞれ固定ねじを有効に螺着させるための補強部材（図示略）が埋め込んである。
【００１７】
図３は実施例１のデスクＤ１を折り畳んだ状態を示している。図示してあるように、天地を逆にして天板１の表面を下になるようにして置いてあるので裏面が上になっている。この裏面上に幕板２の内側に当接するように折り畳まれた脚パネル３，４が折り重なるように位置し、その上に幕板２の内側が各脚パネルの外側面に当接した状態で位置している。幕板２の前面（図３では上面）の４隅近傍には凹部が設けてあり、これらの各凹部にはプラスチック製のキャップ８，…が圧入してある。キャップ８は折り畳んだデスクの上にさらに同様のデスクを積み重ねる場合におけるクッションの役割を果たすことにより擦過傷などの損傷予防を図ってある。
【００１８】
天板１の裏面と幕板２の上端部とは後述の連結片９，９によって連結してあり、脚パネル３，４はこれらの連結片によって天板１と幕板２との間に区画形成されるスペースに収納してある。天板１と脚パネル３，４とは脚パネルの梁部３ｂ，４ｂと天板１とを固定していた固定ねじ６，６を転用して固定してある。これらの固定ねじ６，６による固定は、折り畳み状態における天板１に対する脚パネル３，４の揺動を抑えるとともに、折り畳み状態にして脚パネルを持ってデスク全体を持ち上げる際の連結片９，９の荷重負担を分担する機能を果たしている。
【００１９】
図４は、連結片９による天板１と幕板２との連結状態を示したものである。連結片９は長方形の厚板材からなり、その一端部近傍に軸穴が設けてあり、他端部近傍の内側の長辺には上記の幕板２の一辺が固着してある。連結片９は天板１の裏面に固着してある取付部１０に支持軸１１を介しておよそ９０度の回転角度で揺動可能に取り付けてある。したがって幕板２は連結片９と一体になって揺動し、図４では折り畳み状態になっていることから天板１と平行になっている。これを図面上で手前側に揺動させて天板１の裏面に平行な状態にすると、天板に対して直角になる。幕板２の内側には脚パネル４が蝶番５を介して幕板の側部を中心として揺動可能に取り付けてあるので、これらの脚パネル３，４も幕板と一体となった状態で天板１に対して平行又は直角に状態が変化するようにしてある。
【００２０】
このデスクＤ１は図１、図２に示す状態になっている時が使用可能状態であり、図３に示すように折り畳むと保管収納及び運搬可能状態であり、両状態は相互に変化容易となっている。折り畳み要領は、図５に示すように、デスクＤ１の天地を逆にした状態で台（図示略）上に置き、丸符号を付してある順に折り畳み操作を行えばよい。すなわち、折り畳みの第１工程として固定ねじ６，６をとり外し、第２工程として左右の脚パネル３，４を蝶番５，５を介して水平方向に揺動させて幕板２の内側に当接させる。次に第３工程として幕板２及びこれと一体の脚パネル３，４を手前側に倒し、両脚パネルの外側を天板１の裏面に当接させる。最後に第４工程として固定ねじ６，６を各脚パネルに設けてある固定穴３ｈ，４ｈから螺入して天板１に設けてあるめねじ穴１ｈ，１ｈに螺合させて締め付ける。上記の工程により天板１、脚パネル３，４、幕板２の順に折り重なった状態となる（図３参照）。こうして、簡単な構成で極めて簡単な操作により折り畳み可能となっている。展開要領はこの逆の順序で行えばよく、展開操作も極めて簡単となっている。
【実施例２】
【００２１】
実施例２の折り畳み式デスクＤ２は、図６に示すように、縦幅寸法及び高さは実施例１と同じであるが、横幅寸法を短くしたものである。なお、図中の符号は実施例１の要素を変化させたものについては実施例１で用いた符号に２０を加算した数値の符号を用い、同一のものについては同じ符号を用いてある。
【００２２】
このデスクＤ２は、脚パネル２３，２４の梁部及び土台部の長さは折り畳み状態において先端部同士が干渉せず、図７に示すような状態に折り畳み可能な長さになっている必要がある。したがってこのデスクは展開状態において脚パネルの前後長を実質的に実施例１と同一にする必要があるが、このようにすると折り畳み状態においては脚パネルの先端部同士が干渉を起こす結果となって同一平面上に位置させることができない。そこで梁部２３ｂ及び土台部２３ｃの長さを伸縮可能とすることにより、折り畳み時にはこれらを柱部２３ａ内に押し込んで実質的に短くして図７に示すように脚パネル２３，２４の先端部同士が天板１と幕板２との間のスペース内に収納可能としてある。また、展開時には、図８（ａ）に示すように、梁部２３ｂ及び土台部２３ｃの長さを大きくして安定性を得ることを可能としてある。また、折り畳み時にはこれらの各梁部及び土台部を柱部２３ａ，２４ａ内に押し込んで、同図（ｂ）に示してあるように、前後の長さを短く調整可能としてある。
【００２３】
脚パネルの長さ調整機構について、左側の脚パネル２３を例にして説明すると、梁部２３ｂ及び土台部２３ｃは必要量だけ引き出し可能としてある。梁部２３ｂの下辺及び土台部２３ｃの上辺には後退防止用のストッパ１３，１３を設けることにより振動などによる先端部の後退を防止可能としてある。ストッパ１３は梁部２３ｂ及び土台部２３ｃの内部で板ばねなどにより突出する方向に付勢してあるので、これらを後退させる際には一方の手の指でこれを内部に押し込んだ状態の下に、梁部２３ｂ及び土台部２３ｃを柱部２３ａ内に押し込むようにすればよい。これらの梁部及び土台部を引き出す際には、これらが所定位置まで引き出された時点でストッパ１３は、ばねの付勢力によって突出してストッパとしての役割を果たすようになっている。
【００２４】
以上の説明において、連結片を幕板の両端部にのみ設けるようにしてあるが、横幅寸法の大きいものについては幕板の上端部の中間位置にも設けることにより強度の向上を図るようにしても良い。以上のとおり、実施例１，２ともに構成が簡単かつ折り畳み及び展開作業が極めて容易であるとともに、折り畳み状態における容積が極めて小さいものとなるので、運搬・収納に便利であり、レンタルデスクとして採用すれば高度の機能を果たし得るものである。
【産業上の利用可能性】
【００２５】
本考案は物品に関するものであり、その実施は産業上の発展に寄与するものである。
【図面の簡単な説明】
【００２６】
【図１】実施例１のデスクを斜め下方から見た状態を示す斜視図である。
【図２】実施例１のデスクを投影図で示したものであり、（ａ）は平面図、（ｂ）は正面図、（ｃ）は右側面図である。
【図３】実施例１のデスクの折り畳み状態を示す斜視図である。
【図４】天板と幕板と脚パネルとの連結状態を拡大して示した斜視図である。
【図５】実施例１のデスクの折り畳み要領を示す説明図である。
【図６】実施例２のデスクを投影図で示したものであり、（ａ）は平面図、（ｂ）は正面図、（ｃ）は右側面図である。
【図７】実施例２におけるデスクの折り畳み状態を示す平面図である。
【図８】実施例２における脚パネルの伸縮状態の変化を示す説明図である。
【符号の説明】
【００２７】
１，２１      天板
２，２２      幕板
３，２３      脚パネル（左側）
３ｂ、２３ｂ  梁部
３ｃ、２３ｃ  土台部
４，２４      脚パネル（右側）
４ｂ、２４ｂ  梁部
４ｃ、２４ｃ  土台部
５            蝶番
６            固定ねじ
９            連結片
１０          取付部
１１          支持軸
【図１】
0003133866.tif 000003
【図２】
0003133866.tif 000004
【図３】
0003133866.tif 000005
【図４】
0003133866.tif 000006
【図５】
0003133866.tif 000007
【図６】
0003133866.tif 000008
【図７】
0003133866.tif 000009
【図８】
0003133866.tif 000010